(57)【要約】【課題】Ｎアップ機能を利用して行ったプリントの枚数を、ユーザの指示形態の違いによらず、常に同じ専用カウンタでカウントすると、ユーザの認識と実際のカウント情報に食い違いが生じることがある。【解決手段】複数ページ分の画像データを１枚のシート媒体に並べてプリントするＮアップ機能を有する画像処理装置の構成として、Ｎアップ機能を利用する旨の指示を受け付ける指示受付部２３と、その指示にしたがってＮアップ機能の利用を決定するプリンタ制御部２４と、画像データのプリント枚数のカウントする複数のカウンタを有するカウンタ部２６と、Ｎアップ機能を利用して画像データのプリントを行う際に、Ｎアップ機能を利用したプリントがプリンタ制御部２４での決定に基づくものであるか否かを判断し、この判断結果に基づいてカウンタ部２６のカウント動作を制御するカウント制御部２７とを備える。【選択図】図２
2006135630.tif 000002
【特許請求の範囲】
【請求項１】
複数ページ分の画像データを１枚のシート媒体に並べてプリントするＮアップ機能を有する画像処理装置であって、
前記Ｎアップ機能を利用する旨の指示を受け付けて当該Ｎアップ機能の利用を決定する決定手段と、
前記Ｎアップ機能を利用して画像データのプリントを行う際に、前記Ｎアップ機能を利用したプリントが前記決定手段の決定に基づくものであるか否かを判断する判断手段と、
画像データのプリント枚数をカウントする複数のカウンタを有するカウント手段とを備え、
前記Ｎアップ機能を利用したプリントが前記決定手段の決定に基づくものであると前記判断手段で判断した場合は、前記カウント手段に設けられた第１のカウンタで前記プリント枚数をカウントし、前記Ｎアップ機能を利用したプリントが前記決定手段の決定に基づくものではないと前記判断手段で判断した場合は、前記カウント手段に設けられた第２のカウンタで前記プリント枚数をカウントする
ことを特徴とする画像処理装置。
【請求項２】
前記カウント手段による前記プリント枚数のカウント結果を出力する出力手段を具備する
ことを特徴とする請求項１記載の画像処理装置。
【請求項３】
前記第２のカウンタは、インデックスプリントモードでプリントした枚数をカウントするカウンタを含む
ことを特徴とする請求項１記載の画像処理装置。
【発明の詳細な説明】
【技術分野】
【０００１】
本発明は、プリンタ、複写機、複合機等の画像処理装置に係り、特に、複数ページ分の画像データを１枚のシート媒体に並べてプリントするＮアップ機能を有する画像処理装置に関する。
【背景技術】
【０００２】
一般に、画像データをプリントするサービス（コピーサービス、プリントサービスを含む）として、画像データの種類（カラー／白黒）ごとにプリント枚数をカウントし、このカウント結果を、例えばコピーサービスやプリントサービスの利用明細として、装置のパネルや紙媒体のレポートなどで表示することが公知となっている。また、プリンタや複写機、複合機などの画像処理装置が備えるプリント機能の一つとして、例えば下記特許文献１にも記載されているように、複数ページ分の画像データを１枚のシート媒体に並べてプリントする機能（以下、「Ｎアップ機能」とも記す）が知られている。
【０００３】
Ｎアップ機能では、Ｎ（Ｎは２以上の整数）ページ分の画像データを１ページ内に収まるように並べて合成（割り付け）し、この合成した画像データを１枚のシート媒体（用紙等）にプリントする。Ｎアップ機能を利用して画像データをプリントする場合は、必要に応じて画像の縮小処理や回転処理が行われる。また、コピー処理でＮアップ機能を利用する場合は、複数枚の原稿から読み取った複数の画像データを１枚のシート媒体に並べてプリントすることになる。
【０００４】
Ｎアップ機能を利用したコピーサービスやプリントサービスは、基本的にユーザの指示に基づいて行われる。したがって、従来においては、Ｎアップ機能を用いてプリントした枚数を専用のカウンタ（以下、「Ｎアッププリント用カウンタ」とも記す）でカウントしていた。そして、そのカウント結果をサービスの利用明細としてパネルやレポートなどで表示する場合は、Ｎアップ機能の利用を明示する項目を設けて、そこにＮアッププリント用カウンタでカウントしたプリント枚数を表示していた。
【０００５】
【特許文献１】特開２００４−１０２７１２号公報
【発明の開示】
【発明が解決しようとする課題】
【０００６】
しかしながら、近年においては、様々なメディアを画像処理装置にセットしてプリントする機能が提供され、ユーザが特に指示しなくても、特定のプリントモード（例えば、インデックスプリントモード）で自動的にＮアップ機能を起動して複数ページ分の画像データを１枚のシート媒体にプリントすることが行われている。そうした場合、ユーザ自身はＮアップ機能の利用を指示していないにもかかわらず、指示した場合と同じＮアッププリント用カウンタでプリント枚数をカウントし、そのカウント結果をパネルやレポートで表示することになる。そのため、ユーザの認識と実際のカウント情報に食い違いが生じ、サービスの利用明細を見たユーザに違和感を与える恐れがある。
【０００７】
ちなみに、ユーザからの指示がない場合でもＮアップ機能を利用して画像データをプリントする具体的なケースとしては、例えば、インデックスプリントモードで動作する場合が考えられる。また、インデックスプリントモード以外にも、例えば、ユーザがプリント条件の１つとして、プリントに使用するシートサイズを指示したときに、画像サイズとシートサイズの大小関係から、自動的にＮアップ機能を起動して画像の合成処理を行うケースが考えられる。より具体的には、プリント対象としてＡ５サイズの画像データが６つ存在し、ユーザが指示したシートサイズがＡ３サイズである場合に、Ａ３サイズのシートにＡ５サイズの画像データを幾つ並べ得るかを演算し、この演算結果に基づいて画像の合成処理（割り付け処理）を行うことにより、Ａ５サイズの６つの画像データをＡ３サイズの２枚のシート媒体にまとめてプリントするケースが考えられる。
【課題を解決するための手段】
【０００８】
本発明に係る画像処理装置は、複数ページ分の画像データを１枚のシート媒体に並べてプリントするＮアップ機能を有する画像処理装置であって、Ｎアップ機能を利用する旨の指示を受け付けて当該Ｎアップ機能の利用を決定する決定手段と、Ｎアップ機能を利用して画像データのプリントを行う際に、Ｎアップ機能を利用したプリントが決定手段の決定に基づくものであるか否かを判断する判断手段と、画像データのプリント枚数をカウントする複数のカウンタを有するカウント手段とを備え、Ｎアップ機能を利用したプリントが決定手段の決定に基づくものであると判断手段で判断した場合は、カウント手段に設けられた第１のカウンタでプリント枚数をカウントし、Ｎアップ機能を利用したプリントが決定手段の決定に基づくものではないと判断手段で判断した場合は、カウント手段に設けられた第２のカウンタでプリント枚数をカウントするものである。
【０００９】
本発明に係る画像処理装置においては、Ｎアップ機能を利用して画像データのプリントを行う際に、このＮアップ機能を利用したプリントが決定手段の決定（Ｎアップ機能を利用する旨の指示）に基づくものであるか否かによって、画像データのプリント枚数が別々のカウンタでカウントされるようになる。
【発明の効果】
【００１０】
本発明によれば、Ｎアップ機能を利用したプリントが決定手段の決定に基づくものであるか否かによって、画像データのプリント枚数が別々のカウンタでカウントされるため、ユーザがＮアップ機能の利用を指示した場合と指示しない場合に分けてプリント枚数をカウントすることができる。したがって、ユーザの指示形態の違いに合わせてプリント枚数を個別に管理することが可能となる。その結果、プリント枚数のカウント結果をパネルやレポートで表示する場合でも、ユーザの認識と実際のカウント情報を整合させて、ユーザに違和感を与えないようにすることができる。
【発明を実施するための最良の形態】
【００１１】
以下、本発明の具体的な実施の形態について図面を参照しつつ詳細に説明する。
【００１２】
図１は本発明の実施形態に係る画像処理装置のシステム構成を示すブロック図である。図示した画像処理装置は、コピー機能と、スキャン機能と、プリント機能と、ファクシミリ機能といった複数の機能を有する複合機であって、大きくは、コントローラ１と、ユーザインタフェース（ＵＩ）２と、スキャナ部３と、プリンタ部４と、後処理部５とを備えた構成になっている。
【００１３】
コントローラ１は、ＣＰＵ(Central Processing Unit)６と、ＲＯＭ(Read-Only Memory)７と、ＲＡＭ(Random Access Memory)８と、不揮発性メモリ（NVRAM;Non-Volatile RAM）９と、ハードディスク(HDD;Hard Disk Drive)１０と、画像処理部１１と、ＵＩインタフェース（UI IF）１２と、通信インタフェース（通信IF）１３と、デバイスインタフェース（デバイスIF）１４と、ＬＡＮ(Local Area Network)接続部１５と、シリアル接続部１６と、ＵＳＢ(Universal Serial Bus)接続部１７と、モデム１８とを備えた構成になっている。
【００１４】
コントローラ１の内部では、ＣＰＵ６と、ＲＯＭ７と、ＲＡＭ８と、不揮発性メモリ９と、ハードディスク１０と、画像処理部１１と、ＵＩインタフェース１２と、通信インタフェース１３と、デバイスインタフェース１４が、それぞれ共通のバス１９を介して相互に接続されている。バス１９は、ＰＣＩ(Peripheral Component Interconnect Bus)バス、メモリバスなどによって構成されるものである。また、ＬＡＮ接続部１５と、シリアル接続部１６と、ＵＳＢ接続部１７と、モデム１８は、それぞれ通信インタフェース１３に個別に接続されている。一方、ユーザインタフェース２は、表示部２０と、操作部２１とを備えた構成になっている。
【００１５】
コントローラ１は、画像処理装置の動作を統括的に制御するもので、例えば１つのコントローラボード上に構築されるものである。ＣＰＵ６は、ＲＯＭ７に格納された制御プログラムや制御用データにしたがって種々の制御処理を行うものである。ＲＯＭ７は、例えばフラッシュメモリのようにデータの書き換え（消去、書き込み）が可能な構成であってもよい。ＲＡＭ８は、ＣＰＵ６によるプログラム動作のためのシステムメモリや、画像処理のためのページメモリなど、一時的なデータ格納場所として用いられるものである。不揮発性メモリ９は、不揮発性のデータ、画質調整、各種設定パラメータ、各種履歴に関するデータを格納するために用いられるものである。ハードディスク１０は、画像データや各種履歴に関するデータを格納するために用いられるものである。画像処理部１１は、画像データの圧縮伸長処理、回転処理、階調補正処理、色補正処理など、各種の画像処理を行うものである。
【００１６】
ＵＩインタフェース１２は、コントローラ１がバス１９を介してユーザインタフェース２を制御できるように、ユーザインタフェース２を電気的に接続するためのものである。コントローラ１が直接ユーザインタフェース２を制御する場合は、特にＵＩインタフェース１２を設ける必要はない。通信インタフェース１３は、各種の外部装置やネットワークを接続して通信するためのインタフェースである。デバイスインタフェース１４は、複合機を構成する各種の機能デバイス（本例ではスキャナ部３、プリンタ部４）を接続するためのインタフェースである。
【００１７】
ＬＡＮ接続部１５は、自装置をネットワークに接続するためのもので、例えば10BASE-Tや100BASE-T、各種無線ＬＡＮなどＬＡＮ接続を含む。なお、接続対象となるネットワークはＬＡＮに限らず、ＷＡＮ(Wide Area Network)など他のネットワークであってもよい。シリアル接続部１６は、シリアル転送方式に対応した各種の外部周辺機器を接続するためのものである。
【００１８】
ＵＳＢ接続部１７は、USB1.1、USB2.0などのＵＳＢ規格に対応した機器を接続するためのもので、ここでは一例としてメディアリーダ２２が接続されている。メディアリーダ２２は、メモリカード、磁気ディスク、光ディスク、光磁気メディアなどの記憶媒体に記憶された各種の情報（画像データ、テキストデータ等を含む）を読み取るものである。モデム１８は、ファクシミリなどの公衆回線への接続を行うモデム制御部を含み、各種ファクシミリ機能を提供するものである。
【００１９】
ユーザインタフェース２は、ユーザとコントローラ１との間で種々の情報の受け渡しを行うもので、例えば、タッチパネル付きの液晶ディスプレイからなる表示部２０と各種のボタン、スイッチ、キーからなる操作部２１とを含むコントロールパネルによって構成される。タッチパネルは、機能的には操作部２１に属するものとなる。
【００２０】
スキャナ部３は、原稿の画像を光学的に読み取って、その読み取り結果に基づく画像データを生成するものである。プリンタ部４は、紙媒体等のシート媒体を一枚ずつ搬送し、このシート媒体に画像データを可視画像としてプリント出力するプリンタエンジンからなるものである。後処理部５は、プリント済みのシート媒体に対して、例えば、中折り処理、ステープル処理（綴じ処理）、パンチング処理（穴開け処理）などの後処理を施すものである。
【００２１】
図２は本発明の実施形態に係る画像処理装置の主要な機能部の構成を示すブロック図である。図示した各々の機能部は、上記図１に示すハードウェアのシステム構成（特に、コントローラ１に含まれるＣＰＵ６、ＲＯＭ７、ＲＡＭ８、不揮発性メモリ９、ハードディスク１０や、ユーザインタフェース２、プリンタ部４、メディアリーダ２２など）を用いて実現されるものである。
【００２２】
図２において、指示受付部２３は、画像データをプリントするにあたって、ユーザからプリントの指示を受け付けるとともに、その受け付けたプリントの指示内容をプリント制御部２４に通知（付与）するものである。この指示受付部２３は、例えばユーザインタフェース２によって構成されるものである。指示受付２３で受け付けられるプリントの指示内容としては、例えば、プリント開始やコピー開始の指示、プリント対象となる画像データに関する指示（データ格納場所などの指示）、プリントモードの指示、スキャンモードの指示、スキャン解像度の指示、プリント枚数（コピー枚数）やプリント部数（コピー部数）の指示、プリント画質（ノーマル画質、高画質）の指示、プリント濃度の指示、プリント（コピー）倍率の指示、シートサイズの指示、Ｎアップ機能の指示、後処理モード（中折りモード、ステープルモード、パンチングモード）の指示などがある。また、指示受付部２３には、「Ｎアップ機能」という独立した選択項目（選択ボタン等）が用意され、この「Ｎアップ機能」をユーザがボタン操作等で選択することにより、Ｎアップ機能を利用する旨の指示がユーザによって直接的に行われる構成となっている。
【００２３】
上述したプリント指示内容のうち、プリントモードの一例としては、両面プリント、メディアプリント、インデックスプリントなどが考えられる。インデックスプリントとは、デジタルカメラなどで撮影した複数枚の画像をサムネイル形式で１枚のシート媒体（用紙等）に並べてプリントすることをいう。また、メディアプリントとは、メディアに記憶された画像データを読み出してプリントすることをいう。メディアプリントの代表的なケースとしては、デジタルカメラのカメラ本体にメモリカード等のメディアを装着して、デジタルカメラで撮影した画像データをメディアに記憶し、その画像データをプリントする際に、カメラ本体からメディアを取り外して画像処理装置のメディアリーダに装着し、このメディアリーダでメディアから画像データを読み出してプリントするケースがある。また、スキャンモードの一例としては、両面スキャン、高速スキャン、カラースキャン、白黒スキャン、オートカラーセレクション（ＡＣＳ）などが考えられる。
【００２４】
プリント制御部２４は、指示受付部２３から通知されるプリントの指示内容に基づいて、プリント対象となる画像データを画像入力部２５から画像処理部１１に入力（転送）し、この画像処理部１１で画像処理された画像データを適用してプリンタ部４を動作させるものである。画像処理部１１で採用される画像処理の内容は、指示受付部２３から通知されるプリントの指示内容に基づいてプリント制御部２４により決定される。また、プリント対象となり得る画像データには、スキャナ部３で原稿から読み取られる画像データ（スキャンデータ）と、メディアリーダ２２でメディアから読み取られる画像データと、ハードディスク１０からＣＰＵ６が読み出される画像データと、ＬＡＮ接続部１５につながるネットワーク通信機器から自装置宛に送信された画像データと、モデム１８で受信した画像データ（ファクシミリデータ）が含まれる。したがって、画像入力部２５は、プリント対象となる画像データの生成元に応じて、スキャナ部３、ＣＰＵ６、メディアリーダ２２、ＬＡＮ接続部１５又はモデム１８により構成されるものとなる。
【００２５】
カウンタ部２６は、プリンタ部４で実行された画像データのプリント枚数（シート枚数）をカウントするものである。カウンタ部２６には複数のカウンタが設けられている。このカウンタ部２６を構成する複数のカウンタは、例えば不揮発性メモリ９に設けられるものである。カウンタ制御部２７は、指示受付部２３からプリント制御部２４に通知されたプリントの指示内容やプリンタ部４で実行されるプリント動作に基づいて、カウンタ部２６に設けられた複数のカウンタのカウント動作を個別に制御するものである。出力部２８は、カウンタ部２６によるプリント枚数のカウント結果を出力するものである。
【００２６】
次に、本発明の実施形態に係る画像処理装置を用いた画像処理方法について、図３のフローチャートを用いて説明する。まず、画像データをプリントしようとするユーザは、所望のプリント結果を得るにあたって、指示受付部２３を用いて各種のプリントの指示を行うことになるため、このプリント指示を指示受付部２３で受け付ける（ステップＳ１）。
【００２７】
次に、指示受付部２３でユーザがプリント開始を指示すると、それまでに指示受付部２３で受け付けたプリントの指示内容が指示受付部２３からプリント制御部２４に通知される（ステップＳ２）。そうすると、指示受付部２３からのプリントの指示内容にしたがって画像入力部２５から画像処理部１１に画像データが入力される（ステップＳ３）。このとき、指示受付部２３から通知されるプリントの指示内容のなかで、プリントモードの指示として、ユーザによりメディアプリントが指示（選択）されていた場合は、この指示内容に基づくプリント制御部２４からの処理命令にしたがって、プリント対象となる画像データがメディアリーダ２２によってメモリカード等のメディアから読み出され、この読み出された画像データが画像処理部１１に転送される。
【００２８】
続いて、プリント制御部２４は、指示受付部２３から通知されたプリントの指示内容のなかに、Ｎアップ機能を利用する旨の指示が含まれているかどうかを判断する（ステップＳ４）。そして、Ｎアップ機能を利用する旨の指示が含まれていると判断した場合は、その指示内容にしたがってＮアップ機能の利用を決定し、この決定に基づいて、Ｎアップ機能に対応した画像の合成処理を含むプリント用の画像処理（図中第１の画像処理）を画像処理部１１で行う（ステップＳ５）。プリント用の画像処理とは、画像入力部１１から入力された画像データをプリンタ部４でプリントするために必要となる画像処理（例えば、色変換処理、色補正処理、階調補正処理、スクリーン生成処理など）をいう。また、この場合の画像の合成処理は、指示受付部２３から通知されるＮアップ機能の指示に基づいて行われるものである。
【００２９】
一般に、Ｎアップ機能は、１枚のシート媒体に並べて印刷（合成）する画像データのページ数に応じて、２アップ、４アップ、８アップ、…などのように区分される。図４はＮアップ機能を利用したプリント処理の一例を示すものである。図４（Ａ）は２アップでプリント処理した場合を示し、図４（Ｂ）は４アップでプリント処理した場合を示している。このうち、図４（Ａ）に示すプリント処理は、例えばＡ４サイズの２つの画像データＤ１，Ｄ２をＡ３サイズの１枚のシート媒体Ｐに並べてプリントする場合に適用されるものである。また、図４（Ｂ）に示すプリント処理は、例えばＡ５サイズの４つの画像データＤ１，Ｄ２，Ｄ３，Ｄ４をＡ３サイズの１枚のシート媒体Ｐに並べてプリントする場合に適用されるものである。
【００３０】
次に、プリント制御部２４は、指示受付部２３から通知されたプリントの指示内容のなかで、プリントモードの一つとしてインデックスプリントが指示（選択）されているかどうかを判断する（ステップＳ６）。そして、インデックスプリントが指示されていると判断した場合は、インデックスプリントに対応した画像の合成処理を含むプリント用の画像処理（図中第２の画像処理）を画像処理部１１で行う（ステップＳ７）。この場合の画像の合成処理は、指示受付部２３で受け付けたＮアップ機能の指示に基づいて行われるものではなく、Ｎアップ機能とは別の選択肢として設けられたインデックスプリントの指示に基づいて行われるものである。図５はインデックスプリントモードでのプリント処理の一例を示すものである。この図５においては、デジタルカメラ等によって撮影された２４枚の写真画像（縮小版）No.1〜No.20が１枚のシートに並べてプリントされている。
【００３１】
また、プリント制御部２４は、指示受付部２３から通知されたプリントの指示内容のなかで、Ｎアップ機能の利用が指示されず、かつインデックスプリントも指示されていないと判断した場合は、画像データのプリントに使用するシートサイズが指示されているかどうかを判断する（ステップＳ８）。そして、シートサイズが指示されていないと判断した場合は、画像の合成処理を除くプリント用の画像処理（図中第３の画像処理）を画像処理部１１で行う（ステップＳ９）。また、シートサイズが指示されていると判断した場合は、プリント対象となる画像データのサイズ（画像サイズ）と、指示受付部２３で受け付けたシートサイズとの大小関係から、１枚のシートに画像データを幾つ並べ得るかを演算し、この演算結果に基づく画像の合成処理を含む画像処理（図中第４の画像処理）を画像処理部１１で行う（ステップＳ１０）。この場合の画像の合成処理は、指示受付部２３で受け付けたＮアップ機能の指示に基づいて行われるものではなく、Ｎアップ機能とは別の選択肢として設けられたシートサイズの指示に基づいて行われるものである。
【００３２】
なお、ここでは一例として、指示受付部２３から通知されたプリントの指示内容のなかでシートサイズが指示されていた場合に、上記演算結果に基づいて必ず画像処理部１１で画像の合成処理を行うものとしているが、本発明はこれに限らず、上記演算結果として、１枚のシートに並べ得る画像データが１つである場合は、画像処理部１１で画像の合成処理を行う必要はない。
【００３３】
続いて、画像処理部１１で画像処理された画像データをプリンタ部４に転送し、このプリンタ部４のプリント動作により画像データを可視画像としてシート媒体にプリント出力する（ステップＳ１１）。次に、シート１枚分の画像データのプリントが終了したかどうかを確認する（ステップＳ１２）。そして、シート１枚分のプリントの終了を確認したら、その時点でプリント枚数のカウント処理を行う（ステップＳ１３）。その後、全ての画像データのプリントが完了したかどうかを確認し（ステップＳ１４）、このプリント完了を確認した時点で一連の処理を終える。
【００３４】
図６はプリント枚数のカウント処理の処理手順を示すフローチャートである。このカウント処理は、カウンタ制御部２７によって実施されるものである。まず、当該カウント処理の前（直前）に、上記ステップＳ１１で行われたシート１枚分のプリントが、指示受付部３２で受け付けたＮアップ機能の指示に基づいて行われたものであるかどうかを判断する（ステップＳ１３１）。そして、Ｎアップ機能の指示に基づいて行われたものであると判断した場合は、カウンタ部２６に設けられたＮアッププリント用カウンタの値をカウントアップ（１だけインクリメント）する（ステップＳ１３２）。
【００３５】
次に、上記ステップＳ１１で行われたシート１枚分のプリントが、指示受付部３２で受け付けたインデックスプリントの指示に基づいて行われたものであるかどうかを判断する（ステップＳ１３３）。そして、インデックスプリントの指示に基づいて行われたものであると判断した場合は、カウンタ部２６に設けられたインデックスプリント用カウンタの値をカウントアップする（ステップＳ１３４）。
【００３６】
また、上記ステップＳ１１で行われたシート１枚分のプリントがＮアップ機能の指示に基づいて行われたものではなく、かつインデックスプリントの指示に基づいて行われたものでもないと判断した場合は、カウンタ部２６に設けられた通常プリント用カウンタの値をカウントアップする（ステップＳ１３５）。上記ステップＳ１３では、こうしたカウント処理を全ての画像データのプリントが完了するまで繰り返し行うことになる。また、カウント処理にしたがってカウンタ部２６でカウントされたプリント枚数のカウント結果は、必要に応じて（例えば、ユーザからの出力指示などに応じて）出力部２８で出力される。カウント結果の出力形態としては、ユーザインタフェース２の表示部２０への表示出力や、プリンタ部４を用いた紙媒体へのプリント出力を採用することができる。
【００３７】
このように本発明の実施形態に係る画像処理装置においては、Ｎアップ機能を利用（起動）して画像データのプリントを行う場合に、このＮアップ機能を利用したプリントが、指示受付部２３で受け付けたＮアップ機能を利用する旨の明確な指示に基づいて行われたものであるかどうかによって、画像データのプリント枚数を別々のカウンタでカウントするものとなっている。そのため、ユーザがＮアップ機能の利用を指示した場合と指示しない場合に分けてプリント枚数をカウントすることができる。したがって、ユーザの指示形態の違いに合わせてプリント枚数を個別に管理することが可能となる。また、Ｎアップ機能を利用したプリントに際して、指示受付部２３から通知されるプリントの指示内容にインデックスプリントの指示が含まれるかどうかによっても、プリント枚数を別のカウンタでカウントするものとなっている。そのため、ユーザの指示形態の違いに合わせて、より細かくプリント枚数を管理することが可能となる。
【００３８】
なお、上記実施形態においては、ステップＳ９で画像処理された画像データのプリント枚数と、ステップＳ１０で画像処理された画像データのプリント枚数を、共通のカウンタ（通常プリント用カウンタ）でカウントするものとしたが、これに限らず、図６のステップＳ１３３の後に、各々の画像データの画像処理に際して画像の合成処理を行ったかどうかを判断する判断ステップを追加し、この判断ステップの判断結果に基づいて、画像の合成処理を行ったと判断した場合はカウンタＡ、画像の合成処理を行わなかったと判断した場合はカウンタＢといった具合に、２つのカウンタで別々にカウントするものとしてもよい。さらに、カラープリント（カラーコピー）と白黒プリント（白黒コピー）に分けてカウントするものとしてもよい。
【図面の簡単な説明】
【００３９】
【図１】本発明の実施形態に係る画像処理装置のシステム構成を示すブロック図である。
【図２】本発明の実施形態に係る画像処理装置の主要な機能部の構成を示すブロック図である。
【図３】本発明の実施形態に係る画像処理装置を用いた画像処理方法を示すフローチャートである。
【図４】Ｎアップ機能を用いたプリント処理の一例を示す図である。
【図５】インデックスプリントモードでのプリント処理の一例を示す図である。
【図６】カウント処理の手順を示すフローチャートである。
【符号の説明】
【００４０】
１…コントローラ、２…ユーザインタフェース、３…スキャナ部、４…プリンタ部、６…ＣＰＵ、７…ＲＯＭ、８…ＲＡＭ、９…不揮発性メモリ、１０…ハードディスク、１１…画像処理部、２２…メディアリーダ、２３…指示受付部、２４…プリント制御部、２５…画像入力部、２６…カウンタ部、２７…カウンタ制御部、２８…出力部
【図１】
2006135630.tif 000003
【図２】
2006135630.tif 000004
【図３】
2006135630.tif 000005
【図４】
2006135630.tif 000006
【図５】
2006135630.tif 000007
【図６】
2006135630.tif 000008